【手続補正書】
【提出日】平成18年2月21日(2006.2.21)
【手続補正１】
【補正対象書類名】明細書
【補正対象項目名】全文
【補正方法】変更
【補正の内容】
【発明の詳細な説明】
【発明の名称】台風や竜巻の勢力を弱くする装置
【技術分野】
【０００１】  本発明は、本発明は台風や竜巻を人工的に発生させて、自然の持つエネルギーを上空に放出する装置に関する。
【背景技術】
【０００２】  従来、台風や竜巻を抑制するためにドライアイスや除湿薬品を台風の雲に投入する方法があったが、台風のエネルギーは巨大であるため効果がなかった。
【発明の開示】
【発明が解決しようとする課題】
【０００３】  本発明は台風や竜巻の元になるエネルギーが少ない時、小さい台風や竜巻を発生させてエネルギーを上空に放出することによりこれらの被害を少なくすることが課題である。  上記課題を解決するため解決すべき課題は、人口衛星等を用いて台風や竜巻になりそうな雲を見つけ、そこに長大な円筒を立て空気を上昇させること、円筒が風によって横に流されないよう真っ直ぐに保持することが課題である。【０００４】  このほか、長大な円筒が浮力を持つと円筒下部の浮力は大きなものになるので対策をたてること。  円筒内部の空気の温度を制御すること、長い円筒の先端からはじめに浮上させ、次々に順番に最下部まで熱風を送り込んで全体を浮上させる手段の開発、雷や突風の被害を受けないようにすること。  空気が円筒内を上昇する速度にあわせて空気の流れに回転を加え円筒内が負圧にならないようにすること、空気が渦を巻きながら円筒内を上昇し始めたら円筒の役目は終わっているので風の流れを邪魔しないように円筒を取り外すこと、等が課題である。
【課題を解決するための手段】
【０００５】  本発明では上記の課題を解決するために、台風や竜巻のエネルギーが適度に蓄積された場所に軽くて強いフィルムやカーボン繊維を用いて巨大な円筒を作り、これに熱風を蓄えて空に上げ、次々に円筒を継ぎ足して地上または海上から３０００メートル近くまで上げた後、先端を開いて空気を放出する。【０００６】  放出が始まると地上または海上の暑い空気はこの円筒を通って温度の低い上空に放出される。  このとき、円筒内部の空気を回転させて渦を作り、円筒内部が負圧にならないようにする。  一度、空気が流れ始めるとその勢いが増し装置をはずしても小さい台風や竜巻を継続して維持することが出来る。【０００７】  風によって円筒が流されて曲がることを防ぐためファンでこれに対抗したり、ヘリコプタで円筒を引いて真っ直ぐにしたりする。  円筒内部の温度が下がって上昇できなくなったり、逆に温度が上がりすぎて浮力が過大になったりするのを防ぐために、円筒の所々に硬い小円筒を作りここで火を焚いたり、空気を円筒の外へ放出して温度を下げたりする。  円筒の浮力が円筒の重量より少し大きくなる程度にし、浮力の合計による円筒下部の大きな力を少なくし、さらに円筒そのものの強度を充分強くする。【０００８】  ３０００メートル程度に達したら先端のカバーを少しずつ外して円筒の空気を放出する。  円筒内部の空気が早く流れはじめたら先端のカバーを全部外し、地上や海上の暑い空気を上空の冷たい空気に放出する。  円筒の下部は自動車や船に固定され自由に移動できるようにしてもよい。【０００９】  空気の放出を始めると円筒は浮力を失いさらに内部が負圧になる。  これを放置すると円筒は内部に向かってへこみ、円筒は折れ曲がって空気の流れを妨げるので竜巻や台風を作ることが出来ない。  そこで、空気を回転させ負圧になることを防ぐと共に、不要になった円筒を分解して取り外す。
【発明の効果】
【００１０】  本発明によれば空気のエネルギーが少ない段階で台風や竜巻を発生させ、エネルギーを上空に放出するので巨大な台風による大きな被害を少なくすることができる。
【発明の実施するための最良の形態】
【００１１】  以下本発明の実施の形態を図１〜図２に基づいて説明する。
【実施例１】  図１において円筒１、とその下に取り付けられた小円筒５、及びカバー８，９，１０に下から熱風を吹き込むと熱気球の原理で浮き上がる。  次に円筒２、を小円筒５、の下に継ぎ足し、さらに小円筒６、フアン１０、円筒３、小円筒７、円筒４、の順番に継ぎ足して行き下から常に熱風を送り続ければ円筒は次第に長くなって上昇する。【００１２】  フアン１３、はその方向が３６０度上下左右に動かすことが出来、その回転数も変えることが出来るので円筒全体を真っ直ぐにすることが出来る。  さらに同様にして円筒を継ぎ足せば３０００メートルぐらいは伸ばすことが出来る。  この間下から熱風を送り続けるが、上空では円筒内の空気が冷えて重くなることが考えられる。  これを防ぐため、小円筒にバーナーを取り付けて温度を調整する。【００１３】  ３０００メートル程度になった時、カバー８、を取り外して空気を放出すると円筒全体の空気が動き出し、続いてカバー９、１０、を取り外せば円筒内の空気は勢い良く上空に放出される。【００１４】  このままの状態で円筒を通して空気を上空に送りこんでも良いが、最終的には円筒を外して小さな竜巻や台風を発生させることが目的である。  このためには小円筒内に取り付けられた翼やフアンで空気に渦を作ってから円筒を外していくのが良い。【００１５】  翼の角度と大きさを変化させれば渦は作れるが、そのほか内部のファンで空気を回転させてもよい。  このほか円筒を回転させて渦を作る方法も考えられる。地表または海１２、の近くの円筒の下部では固定した台を用いて円筒が上空に行かないようにしてもよいが、自動車や船を用いて移動させても良い。【００１６】  燃料はタンクを持ち上げてもよいが細い管で送り込んでもよい。  各種装置を操作するためにはガソリンエンジンや光ファイバーケーブル無線等を用いて雷による被害を防止する。【００１７】  図２はヘリコプタを用いて円筒が曲がったり回転したりするのを防ぐ場合を示すもので、ヘリコプタの後部から連絡線１１、を小円筒５，６，７、に取り付け、円筒を変形しないようにするとともに燃料パイプや制御線をこれに付属させる。【００１８】  以上は円筒を継ぎ足して長くする方法であるが、始めから長い継ぎ目のない円筒を作っておき、円筒の途中の節目にあたる小円筒の後ろ側を閉じて空気のながれを遮断しておき小円筒の前側に熱風を入れて浮上させる方法もある。  浮上させたら、熱風の入り口を閉じる。  以下同様に次の部分を浮上させてゆき、最後に全体を浮上させる。  その他の構造は図１、図２、の場合と同様である。【００１９】  空気が回転しながら上昇しはじめ円筒が不要になった時、円筒を縦横に分解しヘリコプタで運んだり、地上に落下させたりする。  縦に分割してヘリコプタで右左に運ぶことも良い。  上昇気流が発生すると高速回転を始めて竜巻のようになり危険であるため、上記のことは早い段階で行う必要がある。  各種機材を無線で遠隔操作するとともに、人間に対して、海上、地上を問わず安全な避難装置を確保する。
【図面の簡単な説明】
【００２０】
【図１】は本発明の装置において、円筒を制御するためにフアンを用いる例を示したものである。
【図２】は本発明の装置において、円筒を制御するためにヘリコプタを用いる例を示したものである。
【符号の説明】
【００２１】１，２，３，４    円筒５，６，７        小円筒８，９，１０      カバー１１              空気の流れ１２              地表または海１３              フアン１４              ヘリコプタ１５              連絡線